(57)【特許請求の範囲】
【請求項１】
空気中の汚れ具合を検出するセンサーを有し、吸い込んだ空気を吹き出すことにより、空気の流れを発生させるファン装置本体と、
前記ファン装置本体とは離れた位置に配置され、空気の汚れ具合を検出するセンサーを有し、吸い込んだ空気を浄化した後に吹き出すことにより、空気の流れを発生させる空気清浄機本体と、
を備え、
前記ファン装置本体は、当該ファン装置本体の設置方向に関する無線信号を送信し、
前記空気清浄機本体は、前記ファン装置本体の設置方向に関する無線信号を受信し、受信した無線信号に基づいて前記ファン装置本体の設置方向を検出して、前記ファン装置本体の設置位置周辺の空気が移動するように、空気の流れを調整し、
前記ファン装置本体と前記空気清浄機本体とは、前記ファン装置本体のセンサーの検出結果と前記空気清浄機本体のセンサーの検出結果とのうち、検出量の大きいセンサーの検出結果を優先させて動作する空気清浄機。
【請求項２】
前記空気清浄機本体は、
回動自在に設けられた受信手段と、
前記受信手段を回動させ、前記受信手段による前記無線信号の受信強度が最大となったときの前記受信手段の位置に基づいて、前記ファン装置本体の設置方向を検出する検出手段と、
を備えた請求項１記載の空気清浄機。
【請求項３】
前記空気清浄機本体は、
受信視野が重ならないように並べられた複数の受信素子と、
前記複数の受信素子のうち、前記無線信号を受信した受信素子の位置に基づいて、前記ファン装置本体の設置方向を検出する検出手段と、
を備えた請求項１記載の空気清浄機。
【請求項４】
前記空気清浄機本体は、
空気を吹き出す空気清浄機用吹出口と、
前記空気清浄機用吹出口に設けられた空気清浄機用ルーバーと、
前記空気清浄機用吹出口から吹き出す空気が前記ファン装置本体の設置位置周辺に向かうように、前記空気清浄機用ルーバーの向きを調整する制御手段と、
を備えた請求項１〜請求項３のいずれかに記載の空気清浄機。
【請求項５】
前記空気清浄機本体は、当該空気清浄機本体の設置方向に関する無線信号を送信し、
前記ファン装置本体は、
空気を吹き出すファン装置用吹出口と、
前記ファン装置用吹出口に設けられたファン装置用ルーバーと、
前記空気清浄機本体の設置方向に関する無線信号を受信する受信手段と、
前記空気清浄機本体の設置方向に関する無線信号に基づいて前記空気清浄機本体の設置方向を検出して、前記ファン装置用吹出口から吹き出す空気が前記空気清浄機本体の設置位置周辺に向かうように、前記ファン装置用ルーバーの向きを調整する制御手段と、
を備えた請求項１〜請求項４のいずれかに記載の空気清浄機。
【請求項６】
前記空気清浄機本体は、
空気を吸い込む吸込口と、
前記吸込口を回動するための回動機構と、
前記吸込口から吸い込む空気が前記ファン装置本体の設置位置周辺から流れ込むように、前記回動機構を駆動する制御手段と、
を備えた請求項１〜請求項５のいずれかに記載の空気清浄機。
【請求項７】
前記空気清浄機本体は、
水を貯留するタンクと、
前記タンクの下方に設けられ、前記タンクが供給する水を受ける水受けトレイと、
下部が前記水受けトレイ内の水に浸漬した加湿手段と、
を備え、
吸い込んだ空気を前記加湿手段の上部に通すことにより加湿する請求項１〜請求項６のいずれかに記載の空気清浄機。
【発明の詳細な説明】
【技術分野】
【０００１】
この発明は、空気清浄機に関するものである。
【背景技術】
【０００２】
空気清浄機においては、空気清浄機本体に汚れセンサーが設けられる。この空気清浄機によれば、汚れセンサーの測定結果に応じて、空気清浄機本体の動作が制御される。このため、空気清浄機本体周辺の空気中を浄化することができる。
【０００３】
しかしながら、上記汚れセンサーは、空気清浄機本体周辺の空気の汚れしか検出しない。このため、空気清浄機本体から離れた位置の空気が汚れていても、空気清浄機本体が動作しない。
【０００４】
これに対し、空気清浄機本体から離れた位置に汚れセンサー本体を設けた空気清浄機が提案されている。この空気清浄機によれば、汚れセンサー本体が空気の汚れを検出すると、空気清浄機本体は風量を変化させる。このため、汚れセンサー本体周辺の空気を浄化し得る（例えば、特許文献１及び２参照）。
【０００５】
しかしながら、空気清浄機本体の風量を変化させるだけでは、必ずしも、汚れセンサー本体周辺の空気を効率よく浄化するとは限らない。
【０００６】
これに対し、空気調和機から離れた位置にファン装置本体（気流制御装置）を設けた空気調和装置が提案されている。この空気調和装置によれば、空気調和機とファン装置本体とは、相互に通信し、互いの吹き出し方向を認識する。この認識結果に基づいて、空気調和機とファン装置本体とは、気流を変化させる（例えば、特許文献３参照）。
【０００７】
このファン装置本体に汚れセンサーを設けるとともに、空気清浄機本体とファン装置本体との間に気流を変化させる機能を設ければ、ファン装置本体周辺の空気を効率よく浄化し得る。
【先行技術文献】
【特許文献】
【０００８】
【特許文献１】特開昭６１−２６８９３７号公報
【特許文献２】特開２００８−０８６９２６号公報
【特許文献３】特開２００５−１２１３１６号公報
【発明の概要】
【発明が解決しようとする課題】
【０００９】
この場合、空気清浄機本体とファン装置本体とは、互いの吹き出し方向を認識するだけである。このため、必ずしも、ファン装置本体周辺の空気を効率よく浄化することができるとは限らない。
【００１０】
この発明は、上述のような課題を解決するためになされたもので、その目的は、ファン装置本体周辺の空気を効率よく浄化することができる空気清浄機を提供することである。
【課題を解決するための手段】
【００１１】
この発明に係る空気清浄機は、空気中の汚れ具合を検出するセンサーを有し、吸い込んだ空気を吹き出すことにより、空気の流れを発生させるファン装置本体と、前記ファン装置本体とは離れた位置に配置され、空気の汚れ具合を検出するセンサーを有し、吸い込んだ空気を浄化した後に吹き出すことにより、空気の流れを発生させる空気清浄機本体と、を備え、前記ファン装置本体は、当該ファン装置本体の設置方向に関する無線信号を送信し、前記空気清浄機本体は、前記ファン装置本体の設置位置に関する無線信号を受信し、受信した無線信号に基づいて前記ファン装置本体の設置方向を検出して、前記ファン装置本体の設置位置周辺の空気が移動するように、空気の流れを調整し、前記ファン装置本体と前記空気清浄機本体とは、前記ファン装置本体のセンサーの検出結果と前記空気清浄機本体のセンサーの検出結果とのうち、検出量の大きいセンサーの検出結果を優先させて動作するものである。
【発明の効果】
【００１２】
この発明によれば、ファン装置本体周辺の空気を効率よく浄化することができる。
【図面の簡単な説明】
【００１３】
【図１】この発明の実施の形態１における空気清浄機の本体の斜視図である。
【図２】この発明の実施の形態１における空気清浄機の本体の縦断面図である。
【図３】この発明の実施の形態１における空気清浄機のファン装置本体の斜視図である。
【図４】この発明の実施の形態１における空気清浄機のファン装置本体の縦断面図である。
【図５】この発明の実施の形態１における空気清浄機の本体とファン装置本体との位置関係を示す平面図である。
【図６】この発明の実施の形態１における空気清浄機がファン装置本体の設置方向を検出する方法を説明するためのフローチャートである。
【図７】この発明の実施の形態１における空気清浄機が設置された部屋の縦断面図である。
【図８】この発明の実施の形態２における空気清浄機の本体の斜視図である。
【図９】この発明の実施の形態３における空気清浄機の清浄機本体の縦断面図である。
【図１０】この発明の実施の形態４における空気清浄機の清浄機本体の縦断面図である。
【図１１】この発明の実施の形態４における空気清浄機のファン装置本体の斜視図である。
【発明を実施するための形態】
【００１４】
この発明を実施するための形態について添付の図面に従って説明する。なお、各図中、同一又は相当する部分には同一の符号を付しており、その重複説明は適宜に簡略化ないし省略する。
【００１５】
実施の形態１．
まず、図１と図２とを用いて、空気清浄機本体を説明する。
図１はこの発明の実施の形態１における空気清浄機の本体の斜視図である。図２はこの発明の実施の形態１における空気清浄機の本体の縦断面図である。
【００１６】
図１において、１は空気清浄機本体である。空気清浄機本体１は、フロントケース２とリアケース３とを備える。フロントケース２の正面には、吸い込みパネル４が設けられる。吸い込みパネル４には、吸込口５が形成される。リアケース３の上面には、吹出口６が形成される。吹出口６には、１個以上の可動ルーバー７が取り付けられる。
【００１７】
図２に示すように、リアケース３内部には、ファン装置８が設けられる。ファン装置８は、モータとファンとからなる。ファン装置８の上流側では、フロントケース２内部に、集塵フィルター９が設けられる。フロントケース２内部の下方では、吸い込みパネル４と集塵フィルター９との間に、汚れセンサー１０が設けられる。汚れセンサー１０は、空気中のホコリやニオイ等の汚れ具合を検出する機能を備える。
【００１８】
図１及び図２に示すように、フロントケース２の前面と上面との交わり部中央には、操作パネル１１が取り付けられる。操作パネル１１の前面の一部には、送受信部１２が設けられる。送受信部１２は、無線信号として、設置方向検出用の赤外線信号Ｉｐを送受信する機能を備える。可動ルーバー７、ファン装置８、汚れセンサー１０、操作パネル１１、送受信部１２は、配線（図示せず）を介して制御部１３に接続される。
【００１９】
次に、図３と図４を用いて、ファン装置本体を説明する。
図３はこの発明の実施の形態１における空気清浄機のファン装置本体の斜視図である。図４はこの発明の実施の形態１における空気清浄機のファン装置本体の縦断面図である。
【００２０】
図３において、１４はファン装置本体である。ファン装置本体１４は、略立方体状に形成される。ファン装置本体１４は、空気清浄機本体１から離れた同一室内の任意の場所に置かれる。図４に示すように、ファン装置本体１４の一側面には、吸込口１５が形成される。ファン装置本体１４の上面には、吹出口１６が形成される。吹出口１６には、可動ルーバー１７が設けられる。ファン装置本体１４内には、ファン装置１８が設けられる。
【００２１】
図３に示すように、ファン装置本体１４の上面には、汚れセンサー１９が設けられる。汚れセンサー１９は、空気の環境状態を検知する機能を備える。具体的には、汚れセンサー１９は、空気中のホコリやニオイ等の汚れ具合を検出する機能を備える。ファン装置本体１４の上面には、必要に応じて、表示部２０が設けられる。表示部２０は、汚れセンサー１９の測定結果を表示する機能を備える。
【００２２】
図３及び図４に示すように、ファン装置本体１４の他側面には、送信部２１が設けられる。送信部２１は、汚れセンサー１９の測定結果を赤外線信号Ｉｐで送信する機能を備える。ファン装置本体１４の他側面には、送信部２１と異なる位置に、送受信部２２が設けられる。送受信部２２は、設置方向検出用の無線信号として、赤外線信号Ｉｐを送受信する機能を備える。送信部２１と送受信部２２は、同一の送受信部の場合もある。可動ルーバー１７、ファン装置１８、汚れセンサー１９、送受信部２２は、配線（図示せず）を介して制御部２３に接続される。
【００２３】
次に、図１と図２を用いて、空気清浄機本体１の基本的な動作を説明する。
操作パネル１１の運転スイッチがＯＮになると、ファン装置８が駆動する。この駆動により、室内の空気は、吸い込み気流Ａとなって、吸込口５から吸い込まれる。吸い込まれた空気は、集塵フィルター９を通過することにより浄化される。浄化された空気は、吹き出し気流Ｂとなって、吹出口６から再び室内に吹き出される。
【００２４】
この際、制御部１３は、汚れセンサー１０、１９で汚れが検出されるまでは、可動ルーバー７を左右に自動でスイングさせる。このスイングにより、吹き出し気流Ｂの向きが調整される。このスイングは、一定間隔で断続的に行われたり、連続的に行われたりする。なお、可動ルーバー７は、前後に自動でスイングするように形成される場合もある。また、可動ルーバー７は、前後と左右を組み合わせて自動でスイングするように形成される場合もある。
【００２５】
次に、図４を用いて、ファン装置本体１４の基本的な動作を説明する。
操作パネル１１の運転スイッチがＯＮになると、ファン装置１８が駆動する。この駆動により、室内の空気は、吸い込み気流Ｃとなって、吸込口１５から吸い込まれる。吸い込まれた空気は、吹き出し気流Ｄとなって、吹出口１６から再び室内に吹き出される。
【００２６】
この際、制御部２３は、汚れセンサー１０、１９で汚れが検出されるまでは、可動ルーバー１７を左右に自動でスイングさせる。このスイングにより、吹き出し気流Ｄの向きが調整される。このスイングは、一定間隔で断続的に行われたり、連続的に行われたりする。なお、可動ルーバー１７は、前後に自動でスイングするように形成される場合もある。また、可動ルーバー１７は、前後と左右を組み合わせて自動でスイングするように形成される場合もある。
【００２７】
次に、図５と図６を用いて、ファン装置本体１４の設置方向の検出方法を説明する。
図５はこの発明の実施の形態１における空気清浄機の本体とファン装置本体との位置関係を示す平面図である。図６はこの発明の実施の形態１における空気清浄機がファン装置本体の設置方向を検出する方法を説明するためのフローチャートである。
【００２８】
図５に示すように、送受信部１２には、駆動手段２４が取り付けられる。駆動手段２４は、ステッピングモータ等からなる。駆動手段２４は、回転駆動する。この駆動に追従して、送受信部１２は、矢印に示すように、位置ａから位置ｂまで水平方向に移動するようになっている。
【００２９】
ファン装置本体１４の設置方向の検出は、操作パネル１１の運転スイッチがＯＮとなった後、任意の時間間隔で行われる。具体的には、図６に示すように、操作パネル１１の運転スイッチがＯＮになると、空気清浄機本体１の制御部１３は、検出手段として、ファン装置本体１４の設置方向の検出を開始する。このとき、ファン装置本体１４の送受信部２２は任意の周波数で常に発光している。
【００３０】
この状態で、ステップＳ１に進み、駆動位置決め動作が行われる。具体的には、制御部１３は、駆動手段２４を図４の位置ａ方向に移動させる。これにより、送受信部１２が位置ａに位置決めされる。
【００３１】
その後、ステップＳ２に進み、制御部１３は、駆動測定を開始する。具体的には、制御部１３は、駆動手段２４を図４の位置ｂ方向に移動させ、送受信部１２を走査する。その後、ステップＳ３に進み、制御部１３は、送受信部１２が受信した赤外線信号Ｉｐの信号出力ＶｉがＭＩＮ信号閾値Ｖｓ以上か否かを判定する。
【００３２】
信号出力ＶｉがＭＩＮ信号閾値Ｖｓよりも小さい場合は、ステップＳ２に戻り、制御部１３は、駆動測定を継続する。信号出力ＶｉがＭＩＮ信号閾値Ｖｓ以上の場合は、ステップＳ４に進む。ステップＳ４では、制御部１３は、信号出力Ｖｉを駆動手段２４の位置情報とともに記憶する。
【００３３】
その後、ステップＳ５に進み、制御部１３は、図４の位置ａから位置ｂまでの全エリアでの駆動測定が終了したか否かを判定する。全エリアの駆動測定が終了していない場合は、ステップＳ２に戻り、制御部１３は、駆動測定を継続する。全エリアの駆動測定が終了している場合は、ステップＳ６に進む。
【００３４】
ステップＳ６では、制御部１３は、信号出力Ｖｉの記憶があるか否かを判定する。信号出力Ｖｉの記憶がない場合は、ステップＳ７に進む。ステップＳ７では、制御部１３は、駆動測定の検出範囲にファン装置本体１４がないと判定し、ファン装置本体１４の設置方向の検出を終了する。この際、空気清浄機本体１にその旨を表示するとよい。
【００３５】
これに対し、ステップＳ６で信号出力Ｖｉの記憶がある場合は、ステップＳ８に進む。ステップＳ８では、制御部１３は、信号Ｖｉが最も大きいときの駆動手段２４の位置情報をファン装置本体１４の設置方向として記憶する。その後、ステップＳ９に進み、制御部１３は、ファン装置本体１４の設置方向の検出を終了する。
【００３６】
なお、ファン装置本体１４も、同様の方法で、空気清浄機本体１の設置方向を検出する。しかしながら、空気清浄機本体１やファン装置本体１４の設置方向の検出方法は、上記方法に限定されない。
【００３７】
このように、空気清浄機本体１とファン装置本体１４とは、相互通信し、互いの設置方向を認識する。自動運転モードでは、この認識結果に基づいて、空気清浄機本体１とファン装置本体１４とが動作する。
【００３８】
以下、図７を用いて、自動運転モードでの空気清浄機本体１とファン装置本体１４の動作を説明する。
図７はこの発明の実施の形態１における空気清浄機が設置された部屋の縦断面図である。
【００３９】
使用者が操作パネル１１で自動運転モードを選択すると、空気清浄機本体１の制御部１３は、吸い込み気流Ａと吹き出し気流Ｂの風量が弱又は中になるようにファン装置８を駆動する。ファン装置本体１４の制御部２３は、吸い込み気流Ｃと吹き出し気流Ｄの風量が弱又は中になるようにファン装置８を駆動する。
【００４０】
空気清浄機本体１の汚れセンサー１０は、空気清浄機本体１周辺の空気の汚れ具合の検出動作を常に行っている。ファン装置本体１４の汚れセンサー１９は、ファン装置本体１４周辺の空気の汚れ具合の検出動作を常に行っている。汚れセンサー１９の検出結果は、赤外線信号Ｉｐで送信部２１から空気清浄機本体１の送受信部１２へ送信される。
【００４１】
次に、空気清浄機本体１の汚れセンサー１０がある一定量以上の汚れを検出した場合を説明する。この場合、空気清浄機本体１の制御部１３は、可動ルーバー７のスイングを止める。この状態で、空気清浄機本体１の制御部１３は、吸い込み気流Ａと吹き出し気流Ｂの風量が強程度にアップするようにファン装置８を駆動する。この状態は、一定時間維持されたり、汚れセンサー１０による汚れの検出量が所定値以下になるまで維持されたりする。
【００４２】
このとき、ファン装置本体１４の制御部２３は、可動ルーバー１７を空気清浄機本体１に向けて停止させる。この状態で、ファン装置本体１４の制御部２３は、吸い込み気流Ｃと吹き出し気流Ｄの風量が強程度にアップするようにファン装置１８を駆動する。これにより、室内の空気を空気清浄機本体１に効率的に吸わせる気流が形成される。
【００４３】
なお、このような場合、室内の空気の汚れを空気清浄機本体１に効率的に吸い込ませる気流が形成されるのであれば、可動ルーバー７、１７のスイングを継続してもよい。
【００４４】
次に、ファン装置本体１４の汚れセンサー１９がある一定量以上の汚れを検出した場合を説明する。この場合、汚れセンサー１９の検出結果に対応した赤外線信号Ｉｐが送信部２１から送信される。この赤外線信号Ｉｐは、空気清浄機本体１の送受信部１２に受信される。この赤外線信号Ｉｐに基づいて、空気清浄機本体１の制御部１３は、可動ルーバー７を設置方向検出で検出した方向に向けて停止させる。これと同時に、空気清浄機本体１の制御部１３は、吸い込み気流Ａと吹き出し気流Ｂの風量が強程度にアップするようにファン装置８を駆動する。
【００４５】
このとき、ファン装置本体１４の制御部２３は、可動ルーバー１７にスイングを維持させる。これと同時に、ファン装置本体１４の制御部２３は、吸い込み気流Ｃと吹き出し気流Ｄの風量が強程度にアップするようにファン装置１８を駆動する。
【００４６】
その結果、図７に示すように、空気清浄機本体１の吹き出し気流Ｂは、近傍の壁に沿って上昇する。上昇した気流は、天井に沿って、ファン装置本体１４の方向に移動する。移動した気流は、ファン装置本体１４近傍の壁に沿って下降する。下降した気流は、ファン装置本体１４の吸い込み気流Ｃとなる。
【００４７】
吸い込み気流Ｃは、ファン装置本体１４に吹き出される。吹き出された気流は、吹き出し気流Ｄとなる。吹き出し気流Ｄは、空気清浄機本体１に向けて水平方向に移動する。移動した気流は、吸い込み気流Ａとなる。吸い込み気流Ａは、空気清浄機本体１に吸い込まれる。
【００４８】
この状態は、一定時間維持されたり、汚れセンサー１９による汚れの検出量が所定値以下になるまで維持されたりする。このような循環気流の制御により、ファン装置本体１４周辺の空気を集中的に浄化する状態が維持される。
【００４９】
なお、この場合、ファン装置本体１４周辺の空気の汚れを空気清浄機本体１に効率的に吸い込ませる気流が形成されればよい。このため、必ずしも、可動ルーバー７を停止したり、可動ルーバー１７のスイングを維持したりする必要はない。
【００５０】
次に、汚れセンサー１０、１９の双方がある一定量以上の汚れを検出している場合を説明する。この場合、空気清浄機本体１とファン装置本体１４とは、検出量の大きい汚れセンサーの検出結果を優先させて動作する。すなわち、空気清浄機本体１とファン装置本体１４とは、優先したセンサーにより一定量以上の汚れが検出されているとして、可動ルーバー７、１７、ファン装置８、１８を制御する。なお、このような場合に汚れセンサー１０の検出結果と汚れセンサー１９の検出結果のどちらを優先させるかを予め設定してもよい。
【００５１】
以上で説明した実施の形態１によれば、空気清浄機本体１は、赤外線信号Ｉｐに基づいてファン装置本体１４の設置方向を検出する。この検出結果に基づいて、ファン装置本体１４の設置位置周辺の空気が移動するように、空気の流れが調整される。このため、ファン装置本体１４周辺の空気を効率よく浄化することができる。
【００５２】
また、空気清浄機本体１とファン装置本体１４とを電線で接続する必要がない。このため、空気清浄機本体１とファン装置本体１４との設置の自由度を高くすることができる。これにより、空気清浄機本体１から離れた同一室内の任意の場所の汚れを検出することができる。
【００５３】
また、赤外線信号Ｉｐの受信強度が最大となったときの送受信部１２の位置に基づいて、ファン装置本体１４の設置方向が検出される。このため、簡易な構成で、ファン装置本体１４の設置方向を検出することができる。
【００５４】
また、ファン装置本体１４の汚れセンサー１９が汚れを検出した場合に、空気清浄機本体１からの吹き出し気流Ｂがファン装置本体１４の設置位置周辺に向かうように、可動ルーバー７の向きが調整される。このため、ファン装置本体１４周辺の空気をより確実に効率よく浄化することができる。
【００５５】
また、ファン装置本体１４の汚れセンサー１９が汚れを検出した場合に、ファン装置本体１４からの吹き出し気流Ｄが空気清浄機本体１の設置位置周辺に向かうように、可動ルーバー１７の向きが調整される。このため、ファン装置本体１４周辺の空気をより確実に効率よく浄化することができる。
【００５６】
また、ファン装置本体１４の汚れセンサー１９がある一定量以上の汚れを検出した場合のみ、ファン装置本体１４の設置位置周辺の空気が移動するように、空気の流れが調整される。このため、消費電力を抑制することができる。
【００５７】
実施の形態２．
図８はこの発明の実施の形態２における空気清浄機の本体の斜視図である。なお、実施の形態１と同一又は相当部分には同一符号を付して説明を省略する。
【００５８】
実施の形態２の送受信部２５は、複数の受信素子２５ａ〜２５ｅを備える。これらの受信素子２５ａ〜２５ｅは、水平方向に並んで設けられる。これらの受信素子２５ａ〜２５ｅは、互いの受信視野Ｒａ〜Ｒｅが重ならないように配置される。
【００５９】
実施の形態２においては、制御部１３は、送受信部２５の受信素子２５ａ〜２５ｅのうち、ファン装置本体１４の送信部２１からの赤外線信号Ｉｐを受信した受信素子の位置に対応した方向にファン装置本体１４が設置されていると判定する。
【００６０】
以上で説明した実施の形態２によれば、駆動手段２４を設けることなく、ファン装置本体１４の設置方向を検出することができる。
【００６１】
実施の形態３．
図９はこの発明の実施の形態３における空気清浄機の清浄機本体の縦断面図である。なお、実施の形態１と同一又は相当部分には同一符号を付して説明を省略する。
【００６２】
実施の形態３の空気清浄機本体１は、実施の形態１の空気清浄機本体１の底面に回動機構２６を付加したものである。回動機構２６の中央上面には、モータ２７が配置される。モータ２７は、空気清浄機本体１を支持する。
【００６３】
ファン装置本体１４の汚れセンサー１９がある一定量以上の汚れを検出した場合を説明する。この場合、検出結果に対応した赤外線信号Ｉｐが送信部２１から送信される。この赤外線信号Ｉｐは、空気清浄機本体１の送受信部１２に受信される。この赤外線信号Ｉｐに基づいて、空気清浄機本体１の制御部１３は、ファン装置本体１４の設置方向へ吸込口５が向くように、モータ２７を駆動し、空気清浄機本体１を回転させる。
【００６４】
その後、ファン装置本体１４の設置方向へ吸込口５が向くと、制御部１３は、モータ２７を停止させる。この状態で、制御部１３は、吸い込み気流Ａと吹き出し気流Ｂの風量が強程度にアップするように、ファン装置８を駆動する。
【００６５】
この状態は、一定時間維持されたり、汚れセンサー１９による汚れの検出量が所定値以下になるまで維持されたりする。このとき、吸い込み気流Ａは、ファン装置本体１４の方向から流れ込む。すなわち、吸い込み気流Ａは、ファン装置本体１４の吹き出し気流Ｄから形成される。その結果、ファン装置本体１４の周辺の空気が集中的に浄化される。    
【００６６】
以上で説明した実施の形態３によれば、空気清浄機本体１は、ファン装置本体１４周辺の空気を吸い込む。このため、ファン装置本体１４周辺の空気を効率よく浄化することができる。
【００６７】
実施の形態４．
まず、図１０を用いて、空気清浄機本体１を説明する。
図１０はこの発明の実施の形態４における空気清浄機の清浄機本体の縦断面図である。なお、実施の形態１と同一又は相当部分には同一符号を付して説明を省略する。
【００６８】
実施の形態１においては、フロントケース２の正面に、吸い込みパネル４が設けられていた。一方、実施の形態４においては、リアケース３の背面に、吸い込みパネル４が設けられている。
【００６９】
実施の形態４の空気清浄機本体１は、タンク２８、水受けトレイ２９、加湿手段３０を備える。タンク２８は、空気清浄機本体１の正面に着脱自在に設けられる。タンク２８は、水を貯留する機能を備える。水受けトレイ２９は、タンク２８の下方に配置される。水受けトレイ２９は、タンク２８が供給する水を受ける機能を備える。加湿手段３０は、ファン装置８と水受けトレイ２９との間に配置される。加湿手段３０は、フィルター材と枠体とからなる。フィルター材は、毛管現象により水を吸い込み易い材料で形成される。フィルター材の下部は、水受けトレイ２９内に浸漬する。枠体は、フィルター材を収納し固定する。
【００７０】
次に、図１１を用いて、ファン装置本体１４を説明する。
図１１はこの発明の実施の形態４における空気清浄機のファン装置本体の斜視図である。
【００７１】
ファン装置本体１４は、汚れセンサー１９、表示部２０、送信部２１、送受信部２２の他、湿度センサー３１、表示部３２を備える。湿度センサー３１は、ファン装置本体１４の上面に設けられる。湿度センサー３１は、湿度を測定する機能を備える。表示部３２は、必要に応じて、ファン装置本体１４の上面に設けられる。表示部３２は、湿度センサー３１の測定結果を表示する機能を備える。
【００７２】
次に、図１０を用いて、空気清浄機本体１の基本的な動作を説明する。
空気清浄機本体１の運転中は、吸込口５から空気が吸い込まれる。吸い込まれた空気は、集塵フィルター９を通過し、浄化される。浄化された空気は、加湿手段３０を通過して、加湿される。加湿された空気は、吹出口６から再び室内に吹き出される。
【００７３】
このとき、ファン装置本体１４周辺の湿度は、湿度センサー３１に測定される。測定結果に対応した赤外線信号Ｉｐは、送信部２１から送信される。この赤外線信号Ｉｐは、空気清浄機本体１の送受信部１２に受信される。この赤外線信号Ｉｐに対応した測定値が所定値以下になると、空気清浄機本体１の制御部１３は、ファン装置本体１４の方向へ可動ルーバー７を向けて停止させる。
【００７４】
これと同時に、空気清浄機本体１の制御部１３は、吸い込み気流Ａと吹き出し気流Ｂの風量が強程度にアップするように、ファン装置８を駆動する。この吹き出し気流Ｂにより、ファン装置本体１４周辺の空気が集中的に加湿される。この状態は、湿度センサー３１の測定値が所定値以上になるまで維持される。
【００７５】
以上で説明した実施の形態４によれば、空気清浄機本体１に加湿手段３０が設けられる。このため、空気を浄化するだけでなく、加湿することもできる。
【００７６】
また、実施の形態１と同様に、空気清浄機本体１とファン装置本体１４とを電線で接続する必要がない。このため、空気清浄機本体１とファン装置本体１４との設置の自由度を高くすることができる。これにより、空気清浄機本体１から離れた同一室内の任意の場所の湿度を検出することができる。
【００７７】
また、湿度センサー３１の測定結果に応じて、空気の流れが調整される。このため、ファン装置本体１４周辺の湿度を効率よく上げることができる。
【００７８】
なお、ファン装置本体１４の可動ルーバー１７を適切に動かせば、室内の湿度を効率的に上げる気流を形成することができる。
【符号の説明】
【００７９】
１  空気清浄機本体
２  フロントケース
３  リアケース
４  吸い込みパネル
５  吸込口
６  吹出口
７  可動ルーバー
８  ファン装置
９  集塵フィルター
１０  汚れセンサー
１１  操作パネル
１２  送受信部
１３  制御部
１４  ファン装置本体
１５  吸込口
１６  吹出口
１７  可動ルーバー
１８  ファン装置
１９  汚れセンサー
２０  表示部
２１  送信部
２２  送受信部
２３  制御部
２４  駆動手段
２５  送受信部
２５ａ〜２５ｅ  受信素子
２６  回動機構
２７  モータ
２８  タンク
２９  水受けトレイ
３０  加湿手段
３１  湿度センサー
３２  表示部
【図１】
0005533728.tif 000002
【図２】
0005533728.tif 000003
【図３】
0005533728.tif 000004
【図４】
0005533728.tif 000005
【図５】
0005533728.tif 000006
【図６】
0005533728.tif 000007
【図７】
0005533728.tif 000008
【図８】
0005533728.tif 000009
【図９】
0005533728.tif 000010
【図１０】
0005533728.tif 000011
【図１１】
0005533728.tif 000012